(57)【要約】      （修正有）【課題】水との間に還元反応を可能とする金属又は合金を素材とする板状体からなる還元水生成用触媒において、該板状体の表面を流れる水流の効率化を図った板状体の構成とし、還元水の生成能力を高めた触媒単位の構造を提供する。【解決手段】還元機能を有している板状体について、両側において同一幅を挟んだ状態にて複数個の規則的な折り曲げ部、又は曲げ部を設けたことによる還元水生成用触媒単位１を構成する。さらに、一方側の折り曲げ部又は曲げ部の端部２１は、当該還元水生成用触媒単位１の外側に突出した形状の曲線上にあり、他方側の折り曲げ部又は曲げ部の端部２２は、当該還元水生成用触媒単位１の内側に突入した形状の曲線上にあるように配置して、還元水生成用触媒単位１とする。【選択図】図１
0003159972.tif 000002
【実用新案登録請求の範囲】
【請求項１】
還元機能を有している板状体について、両側において同一幅を挟んだ状態にて複数個の規則的な折り曲げ部又は曲げ部を設けたことによる還元水生成用触媒単位であって、一方側の折り曲げ部又は曲げ部の端部は、当該還元水生成用触媒単位の外側に突出した形状の曲線上にあり、他方側の折り曲げ部又は曲げ部の端部は、当該還元水生成用触媒単位の内側に突入した形状の曲線上にあるように配置されている還元水生成用触媒単位。
【請求項２】
折り曲げ部又は曲げ部となっていない両端部が、外側に突出した曲線上又は内側に突入した直線上に配置されている還元水生成用触媒単位。
【請求項３】
一方側における折り曲げ部又は他方側における折り曲げ部の形状が略Ｖ字状であることを特徴とする請求項１、２の何れか1項に記載の還元水生成用触媒単位。
【請求項４】
一方側における曲げ部又は他方側における曲げ部の形状が略Ｕ字状であることを特徴とする請求項１、２の何れか1項に記載の還元水生成用触媒単位。
【請求項５】
外側に突出した曲線及び内側に突入した曲線が、同心円による円弧状を形成していることを特徴とする請求項１、２、３、４の何れか一項に記載の還元水生成用触媒単位。
【請求項６】
板状体に複数個の孔を設けたことを特徴とする請求項１、２、３、４、５の何れか一項に記載の還元水生成用触媒単位。
【請求項７】
請求項１、２、３、４、５、６の何れか一項に記載の還元水生成用触媒単位を相互に隣接して配置することによって、一方側の折り曲げ部位及び他方側の折り曲げ部位がそれぞれ閉曲線上に配置されている還元水生成用触媒単位の結合体。
【請求項８】
請求項１、２、３、４、５、６の何れか一項に記載の還元水生成用触媒単位又は請求項７記載の還元水生成用触媒単位の結合体を底部に単数又は複数個配置している還元水生成容器。
【考案の詳細な説明】
【技術分野】
【０００１】
本考案は、水の電位を低下させつつ、還元水を生成し得る触媒の構成単位に関するものである。
【背景技術】
【０００２】
前記のように還元水を生成するために、水との間に還元反応を可能とする金属又は合金を素材とする板状体の還元水生成用触媒は既に公然と知られている。
【０００３】
因みに、特許文献１及び同２は、水との間にて還元反応を可能とする素材について、様々な形状を採用する構成を提唱しているが、前記形状のうちには、板状体が当然含まれている。
【０００４】
しかしながら、還元水生成触媒が単なる板状体を単位としている構成においては、板状体を還元水生成容器中に配置した場合には、当該容器の底部と接触している一方の側面、更には板状体が交互に接触し合っている側面においては、十分な循環を伴っている水との接触が不可能であることから、結局前記各側面においては、十分な還元作用を発揮することができない。
【０００５】
然るに、従来技術においては、板状体を基本構成としている還元水生成触媒において、前記各側面における還元作用の不十分性を解決するような構成をこれまで提唱している訳ではない。
【先行技術文献】
【特許文献】
【０００６】
【特許文献１】特開２００８−３０８８８４号公報
【特許文献２】特開２００６−０４４９９８号公報
【考案の概要】
【考案が解決しようとする課題】
【０００７】
本考案は、板状体の両側面において、水との還元反応を十分行い得るような還元水生成用触媒の単位による構成を提供することを課題としている。
【課題を解決するための手段】
【０００８】
前記課題を解決するため、本考案の基本構成は、還元機能を有している板状体について、両側において同一幅を挟んだ状態にて複数個の規則的な折り曲げ部、又は曲げ部を設けたことによる還元水生成用触媒単位であって、一方側の折り曲げ部又は曲げ部の端部は、当該還元水生成用触媒単位の外側に突出した形状の曲線上にあり、他方側の折り曲げ部又は曲げ部の端部は、当該還元水生成用触媒単位の内側に突入した形状の曲線上にあるように配置されている還元水生成用触媒単位からなる。
【考案の効果】
【０００９】
前記基本構成に基づく本考案においては、折り曲げ部又は曲げ部の端部を鉛直方向としたうえで（尚、同一幅による規則的な折り曲げ状態又は曲げ状態によって、折り曲げ部又は曲げ部の端部は略直線方向に形成されている。）、還元水生成用触媒単位を容器の底部に配置した場合には、当該触媒単位は、転倒せずに安定した状態にて底部に配置することができ、ひいては板状体の両側の面において、十分な水の流通を伴った状態にて適切かつ、十分な還元作用を発揮することが可能となり、効率的な還元水の生成を実現することができる。
しかも、両側における折り曲げ部又は曲げ部によるシャープな印象と、外側に突出した形状の曲線及び内側に突入した形状の曲線への各配置による柔和な印象との併存によって、平面視及び斜視における美観を形成することも可能となる。
【図面の簡単な説明】
【００１０】
【図１】本考案につき、折り曲げ部又は曲げ部が形成されていない両端部が外側に突出した曲線上に位置している基本構成を示しており、（ａ）は平面図であり、（ｂ）は正面図である。
【図２】本考案につき、折り曲げ部又は曲げ部が形成されていない両端部が内側に突入した曲線上に位置している基本構成を示しており、（ａ）は平面図であり、（ｂ）は正面図である。
【図３】図１及び図２のような一方側及び他方側共に略Ｖ字状の折り曲げ形状を形成する場合以外の実施形態を示す平面図であって、（ａ）は一方側及び他方側共に略Ｕ字状の曲げ形状を形成する場合を示しており、（ｂ）は一方側が略Ｖ字状の折り曲げ形状を形成し、他方側が略Ｕ字状の曲げ形状を形成している場合を示しており、（ｃ）は一方側が略Ｕ字状の曲げ形状を形成し、他方側が略Ｖ字状の折り曲げ形状を形成している場合を示す。
【図４】本考案の還元水生成用触媒単位の結合体を示す平面図である。
【図５】実施例における両側の折り曲げ部又は曲げ部の端部に挟まれた板状体の一部の状態を示す側面図である。
【考案を実施するための形態】
【００１１】
前記基本構成においては、図１（ａ）及び図２（ａ）に示すように、板状体は、両側において同一幅を挟んだ状態にて複数個の規則的な折り曲げ部又は曲げ部が設けられており、しかも一方側の折り曲げ部又は曲げ部の端部２１は、還元水生成用触媒単位１の位置を基準とした場合、外側に突出した形状の曲線（点線によって示す。）上に配置されており、他方側の折り曲げ部又は曲げ部の端部２２は、当該触媒単位１の位置を基準とした場合、内側に突入した形状の曲線（点線によって示す。）上に配置された状態となっている。
【００１２】
このため、図１（ｂ）及び図２（ｂ）に示すように、直線状の両側の折り曲げ部又は曲げ部の端部２１、２２を鉛直方向とするように還元水生成用触媒単位１を配置した場合には、重心を基準とした場合、当該重心の両側において同等の重力が作用するため、前記触媒単位１は転倒せずに安定した状態にて上記配置状態を維持することができる。
【００１３】
このような安定した配置状態を還元水生成用の容器の底部に配置した場合には、両側の折り曲げ部又は曲げ部の端部２１、２２に挟まれた板状体は直接水と接触しており、従来技術のように、板状体の一方側の面が容器の底部に接触し、還元作用に支障が生ずるという弊害を免れることができる。
還元水生成用触媒単位１を構成する板状体１の折り曲げ部又は曲げ部が設けられていない両端部は、図１及び図２に示すように、外側に突出した板状の曲線、又は内側に突入した形状の曲線状に配置されているが、当該両端部は、そのような配置状態に限定される訳ではない。
即ち、上記流曲線に挟まれた中間の位置、又は上記流曲線に挟まっておらず、当該流曲線を超えた位置に配置することも可能である。
【００１４】
図１及び図２は、一方側及び他方側の折り曲げ形状が共に略Ｖ字状を形成している場合を示すが、本考案の折り曲げ部形状又は曲げ形状は、このような略Ｖ字状に限定されている訳ではない。
【００１５】
例えば、図２（ａ）に示すように、一方側及び他方側が共に略Ｕ字状の曲げ形状を形成する場合、図２（ｂ）に示すように、一方側が略Ｖ字状の折り曲げ形状を形成し他方側が略Ｕ字状の曲げ形状を形成する場合、図２（ｃ）に示すように、一方側が略Ｕ字状の曲げ形状を形成し他方側が略Ｖ字状の折り曲げ形状を形成する場合等を採用することができる。
【００１６】
前記のような一方側における外側に突出した曲線及び他方側における内側に突入した曲線の形状は特に限定されないが、図１（ａ）、図２（ａ）及び図３（ａ）、（ｂ）、（ｃ）のように、同心円状の円弧を採用する場合が多い。
但し、前記円弧状ではなく、例えば同心楕円状の楕円弧の採用も当然可能である。
【００１７】
前記基本構成に係る還元水生成用触媒単位１は、単独にて使用し得るだけでなく、複数単位としての使用も可能である。
【００１８】
特に図４に示すように、相互に隣接して配置することによって、一方側の折り曲げ部又は曲げ部の端部２１及び他方側の折り曲げ部又は曲げ部の端部２２がそれぞれ閉曲線上に配置されているような状態にて使用した場合には、安定した配置状態を実現すると共に、平面視においても美観を発揮することが可能となる。
尚、上記結合体の場合には、図４に示すように、各還元水生成用触媒単位１を接触させずに隣接しているのは、各還元水生成用触媒単位１の両面を還元水生成に寄与させ得ることに由来している。
【００１９】
図１、２、３に示すような本考案の還元水生成用触媒単位１及び図４に示すような当該触媒単位１の結合体を、容器の底部に単数又は複数配置したことによる還元水生成容器においては、効率的な触媒を必要にして十分な状態にて発揮することができる。
【００２０】
本考案の還元水生成用触媒の素材としては、通常マグネシウム（Ｍｇ）を成分とし、亜鉛（Ｚｎ）及び／又はマンガン（Ｍｎ）を添加したことによる合金が還元反応の効率性と、素材としての強度との両立のうえで、好的に採用されている。
【００２１】
以下、実施例に即して説明する。
【実施例】
【００２２】
実施例においては、図５に示すように、板状体に複数個の孔３を設けたことを特徴としている。
【００２３】
還元水生成用の容器においては、ポンプによる循環、又は容器内のスクリューの回転による循環によって還元作用を促進させることが少なからず行われている。
【００２４】
このような場合、実施例のように板状体に孔３を複数個設置した場合には、当該孔３を介して水が還元水生成用触媒単位中を通過することによって、複雑な水の流動状態を形成し、折り曲げられている板状体との衝突によって、還元作用を一層促進することができる。
【産業上の利用可能性】
【００２５】
本考案は、飲食店、事務所、家庭等において飲用の水又は入浴用の水に対する還元を行う分野の全てにおいて利用することが可能である。
【符号の説明】
【００２６】
１  還元水生成用触媒単位
２１  一方側の折り曲げ部又は曲げ部の端部
２２  他方側の折り曲げ部又は曲げ部の端部
３  孔
【図１】
0003159972.tif 000003
【図２】
0003159972.tif 000004
【図３】
0003159972.tif 000005
【図４】
0003159972.tif 000006
【図５】
0003159972.tif 000007
【手続補正書】
【提出日】平成22年3月30日(2010.3.30)
【手続補正１】
【補正対象書類名】実用新案登録請求の範囲
【補正対象項目名】請求項２
【補正方法】変更
【補正の内容】
【請求項２】
一方側の折り曲げ部又は曲げ部、若しくは他方側の折り曲げ部又は曲げ部に該当していない板状体の両端部が、外側に突出した形状の曲線又は内側に突入した形状の曲線上に配置されていることを特徴とする請求項１記載の還元水生成用触媒単位。
【手続補正２】
【補正対象書類名】実用新案登録請求の範囲
【補正対象項目名】請求項３
【補正方法】変更
【補正の内容】
【請求項３】
一方側における折り曲げ部又は他方側における折り曲げ部の形状が略Ｖ字状であることを特徴とする請求項１、２の何れか一項に記載の還元水生成用触媒単位。